(57)【要約】【課題】  浴湯表面に浮かべたりして、界面活性剤成分を含む発泡入浴剤により、浴湯表面にきめ細かな泡を形成することができる入浴剤玩具を提供する。【解決手段】  一部が喫水線の下に位置して水面に浮かぶ中空の本体１１が設けられ、本体１１は、水面の下側に位置し内側に界面活性剤成分と発泡剤を有する入浴剤３２を収容する本体下部１２を有する。本体下部１２は、水が外側から内側に流入する取入口１４を有する。水面の上側に位置し、本体下部１２に装着され内側に発泡剤と界面活性剤による泡３８が充満する泡収容空間３３を形成した本体上部２４を有する。本体上部２４は、喫水線近傍の上方に設けられ泡収容空間３３に充満した泡３８が内側から外側に吐き出される吐出口２６を備える。本体１１は、水面に対する位置を調整する浮き部材２８を備える。【選択図】図１
2006020794.tif 000002
【特許請求の範囲】
【請求項１】
一部が水面の下に位置した中空の本体が設けられ、上記本体は、水面の下側に位置し内側に界面活性剤成分と発泡剤を有する入浴剤を収容する本体下部と、上記本体下部に設けられ水が外側から内側に流入する取入口と、水面の上側に位置し内側に上記発泡剤と界面活性剤による泡が充満する泡収容空間を形成した本体上部と、水面近傍の上方に設けられ上記泡収容空間に充満した泡が内側から外側に吐き出される吐出口が設けられていることを特徴とする入浴剤玩具。
【請求項２】
一部が喫水線の下に位置して水面に浮かぶ中空の本体が設けられ、上記本体は、水面の下側に位置し内側に界面活性剤成分と発泡剤を有する入浴剤を収容する本体下部と、上記本体下部に設けられ水が外側から内側に流入する取入口と、水面の上側に位置し上記本体下部に装着され内側に上記発泡剤と界面活性剤による泡が充満する泡収容空間を形成した本体上部と、上記喫水線近傍の上方に設けられ上記泡収容空間に充満した泡が内側から外側に吐き出される吐出口が設けられていることを特徴とする入浴剤玩具。
【請求項３】
上記本体には、上記本体の水面に対する位置を調整する浮き部材が設けられ、上記泡収容空間が水面より上に位置するように調整されていることを特徴とする請求項２記載の入浴剤玩具。
【請求項４】
上記本体には、上記本体の水面に対する位置を調整する錘が設けられ、上記入浴剤が水面より下に位置するように調整されていることを特徴とする請求項２または３記載の入浴剤玩具。
【請求項５】
上記取入口は上記本体の底部に設けられ、上記取入口の内側には上記入浴剤を保持する保持部材が上記本体下部に固定されて設けられ、上記保持部材は上記取入口を覆うように底部が位置する形状であるとともに、上記底部には水が流れる透孔が形成されていることを特徴とする請求項１または２記載の入浴剤玩具。
【発明の詳細な説明】
【技術分野】
【０００１】
この発明は、入浴剤とともに浴槽等に入れて遊ぶ小船やその他の入浴剤玩具に関する。
【背景技術】
【０００２】
従来、浴槽に入れる入浴剤は、液体、粉末、固形等いろいろな種類があるが、そのうち炭酸ガスを発生する発泡入浴剤がある。この発泡入浴剤は、湯に直接入れて沈めて溶かす以外に、湯に浮かぶ玩具のような容器に入れ、湯面で発泡させて溶かすとともに、発泡による動きを楽しむこともできる。
【０００３】
このような固形の発泡入浴剤を入れて湯面に浮かべる容器として、特許文献１の遊具や特許文献２の入浴剤玩具がある。これらの容器には、浮力体と、浮力体の下に取り付けられ炭酸ガス発泡入浴剤を入れる腔部形成体と、腔部形成体の一箇所に、気泡を吐出する透孔が設けられている。これらの容器の使用方法は、腔部形成体内に炭酸ガス発泡入浴剤を入れ浴槽に入れると、浴湯に漬かって炭酸ガス発泡入浴剤が溶解し始め、有効成分が溶出すると共に炭酸ガスが発生する。すると浴炭酸ガスの気泡が腔部形成体内に広がり、腔部形成体内の炭酸ガスが透孔から浴湯内に吐出し、遊具は透孔と反対側に向かって進行する。
【特許文献１】特開平１１−２０７０４５号公報
【特許文献２】特開２００３−１０３０６４号公報
【発明の開示】
【発明が解決しようとする課題】
【０００４】
従来の固形の発泡入浴剤を入れる玩具である容器は、水面下に炭酸ガスの気泡を放出するものであり、放出された炭酸ガスは、水面で破裂し空気中に放散される。また玩具は、一方向に進行したり、断続的に回転したりするだけのものであった。また、これらに使用される入浴剤も、温泉等の湯成分、芳香成分、着色成分、また血行促進作用を有する炭酸成分を含有させただけのものであった。一方、泡風呂のように石鹸成分を含む入浴剤は、浴槽に湯を入れる段階で浴槽の湯面に泡を立てるもので、きめ細かな泡を湯面に広げることができるものではなかった。
【０００５】
この発明は、上記従来の技術の課題に鑑みてなされたものであり、界面活性剤成分を含む発泡入浴剤により、浴湯表面にきめ細かな泡を形成することができ、入浴をより楽しくする入浴剤玩具を提供することを目的とする。
【課題を解決するための手段】
【０００６】
本発明は、一部が水面の下に位置した中空の本体が設けられ、上記本体は、水面の下側に位置し内側に界面活性剤成分と発泡剤を有する入浴剤を収容する本体下部と、上記本体下部に設けられ水が外側から内側に流入する取入口と、水面の上側に位置し上記本体下部に装着等され内側に上記発泡剤と界面活性剤による泡が充満する泡収容空間を形成した本体上部と、水面近傍の上方に設けられ上記泡収容空間に充満した泡が内側から外側に吐き出される吐出口が設けられている入浴剤玩具である。
【０００７】
また本発明は、一部が喫水線の下に位置して水面に浮かぶ中空の本体が設けられ、上記本体は、水面の下側に位置し内側に界面活性剤成分と発泡剤を有する入浴剤を収容する本体下部と、上記本体下部に設けられ水が外側から内側に流入する取入口と、水面の上側に位置し上記本体下部に装着され内側に上記発泡剤と界面活性剤による泡が充満する泡収容空間を形成した本体上部と、上記喫水線近傍の上方に設けられ上記泡収容空間に充満した泡が内側から外側に吐き出される吐出口が設けられている入浴剤玩具である。
【０００８】
また上記本体には、上記本体の水面に対する位置を調整する浮き部材が設けられ、上記泡収容空間が水面より上に位置するように調整されている。
【０００９】
また上記本体には、上記本体の水面に対する位置を調整する錘が設けられ、上記入浴剤が水面より下に位置するように調整されている。
【００１０】
また、上記取入口は上記本体の底部に設けられ、上記取入口の内側には上記入浴剤を保持する保持部材が上記本体下部に固定されて設けられ、上記保持部材は上記取入口を覆うように底部が位置する形状であるとともに、上記底部には水が流れる透孔が形成されている。
【発明の効果】
【００１１】
本発明の入浴剤玩具は、簡単な構造で、界面活性剤と発泡剤成分によりきめ細かな泡を浴槽の湯面全体に広げることができ、浴槽に入る際には、泡の感触を感じて心地よく入浴することができる。また、水面に浮かべる構造の場合、泡を突出しながら動くようにすることで動きがおもしろく、通過した軌跡に泡が残るため使用者に興味を持たせ、なおかつ効率よく泡を広げることができる。
【発明を実施するための最良の形態】
【００１２】
以下、この発明の実施形態について図面に基づいて説明する。図１〜図２はこの発明の一実施形態を示すもので、この実施形態の入浴剤玩具１０は、船の形に形成された本体１１から成り、下側の部分は船底を含む本体下部１２である。本体下部１２は底部のやや後寄りの位置に、水が入る取入口１４が形成されている。取入口１４の内側には、後述する入浴剤３２を入れる保持部材１６が設けられている。保持部材１６は円形の皿形であり、皿形の底面部１６ａには複数個の透孔１８が設けられている。底面部１６ａは、脚部２０を介して本体下部１２の内底部分に、取入口１４に対向して覆うように固定されている。本体下部１２の底部の前部分には、適した重量の錘２２が取り付けられている。
【００１３】
入浴剤玩具１０の上側の部分は船の上部の形に形成された本体上部２４である。本体上部２４は、図示しない係止部材により本体下部１２にほぼ隙間なく閉じて取り付けられる。本体上部２４の内側は、入浴剤３２により発生した泡３８が溜まる泡収容空間３３である。本体上部２４の後方の側面２４ａには、充満した泡３８が吐出される吐出口２６が内外に貫通して設けられている。本体上部２４の側面２４ａを除いた前方と両側縁部の側面２４ｂの内側には、発泡スチロール等の浮き部材２８が本体上部２４の下端縁部２４ｃに沿って取り付けられている。収容部材２４の平坦に形成された上面２４ｄには、船の屋根部分をかたどった飾り３０が取り付けられている。
【００１４】
入浴剤玩具１０の、本体下部１２の保持部材１６には、入浴剤成分を有した固形の発泡性の入浴剤３２が入れられている。入浴剤３２は、二層構造または２体であり、炭酸ガス発生成分を含む発泡剤３４の層と、石鹸成分等の界面活性剤やその他の入浴剤を含有した界面活性剤層３６が設けられ、界面活性剤層３６は、発泡剤３４よりも薄く形成されている。なお、入浴剤３２に入れる入浴剤成分は、各種温泉成分等を適宜選択可能である。
【００１５】
発泡剤の成分としては、例えば炭酸水素ナトリウム４２％、乾燥炭酸ナトリウム１０％、コハク酸３０％、硫酸ナトリウム（無水）１０％、ポリビニルピロリドンまたはリンゴ酸１％、ポリエチレングリコール等の滑沢剤５％、粉末洗剤２％等である。界面活性剤層３６は、炭酸水素ナトリウム３０％、乾燥炭酸ナトリウム１０％、コハク酸３０％、クエン酸３％、乳糖２％、ポリエチレングリコール等の滑沢剤５％、粉末洗剤２０％等である。これらの成分や層の構成は適宜変更し得る。
【００１６】
次に、この実施形態の入浴剤玩具１０の使用方法について説明する。まず、本体上部２４を本体下部１２から開け、本体下部１２の保持部材１６に入浴剤３２をセットする。本体上部２４を本体下部１２に閉じる。このとき、図示しない係合部が互いに係止する。この状態で、入浴剤３２とともに入浴剤玩具１０を浴槽の浴湯に入れる。
【００１７】
入浴剤玩具１０は、本体下部１２の取入口１４から浴湯が浸入するが、浮き部材２８により本体上部２４は水面から上に位置し、本体下部１２は水面の下に位置する。本体下部１２の取入口１４から浴湯が浸入して、入浴剤３４の発泡剤３４と界面活性剤層３６を溶かし、溶けた界面活性剤に、発生した炭酸ガスが当たり撹拌され泡立つ。入浴剤３２は、保持部材１６の透孔１８を水が通過するため周囲に水が均一に接触し、効率よく泡立つ。そしてこの気泡は上昇して、本体上部２４内の泡収容空間３３に泡３８として充満し、吐出口２６から外に吐き出される。このとき、泡収容空間３３は、界面活性剤と気泡により形成された泡３８の溜りとなり、吐出口２６から連続的に吐出可能となる。泡３８は、吐出口２６から入浴剤玩具１０の後方に吐出され、その吐出する泡３８の反力により、入浴剤玩具１０が前方向へ進む。また、泡３８は浴湯表面に自然に広がり、均一な細かい泡３８の層となり浴槽に満たされる。
【００１８】
この実施形態の入浴剤玩具１０によれば、簡単に界面活性剤の泡を立て、浴槽の浴湯表面に細かい泡３８の層を形成することができ、入浴時に泡３８の感触を得て快適に体を洗うことができる。また、泡３８を吐出して喫水面を進むため、動きがおもしろく、また通過した軌跡に泡３８が残るためこの点でも使用者に興味を持たせ、なおかつ効率よく泡３８を広げることができる。入浴剤３２は、発泡剤３４と界面活性剤層３６が二層に分かれているため、泡立ちが良好である。また、本体上部２４に泡収容空間３３が設けられているため、泡３８がつぶれず均一な泡３８が溜められ、それが吐出されて浴湯に均一できれいな泡３８を広げることができる。
【００１９】
さらに、入浴剤玩具１０は、錘２２や浮き部材２８が設けられ、その重さや浮力を調整して、適した位置に喫水線が位置するように設定することができる。これにより、泡収容空間３３は水面より上に位置し、入浴剤３２が水面より下に位置するように調整し、溶け終わるまで確実に継続して泡を発生させることができる。
【００２０】
なお、この発明の入浴剤玩具は、上記実施の形態に限定されるものではなく、水面に浮かべる他、浴槽の壁面に固定するものでも良く、水面の上方から界面活性剤による泡が吐出されるものであればよい。さらに、寸法、材質、形状等、適宜変更可能である。また、この発明の入浴剤玩具に入れる入浴剤は、上記二層構造の入浴剤以外でも良い。また、入浴剤に含まれる界面活性剤の石鹸成分は、合成洗剤等、適宜選択可能であり、形状や形態は問わない。また、本体の形状は自由に変更可能であり、船以外の乗り物や、動物、漫画のキャラクタ等でも良い。
【図面の簡単な説明】
【００２１】
【図１】この発明の一実施形態の入浴剤玩具の縦断面図である。
【図２】この実施形態の入浴剤玩具の斜視図である。
【符号の説明】
【００２２】
１０  入浴剤玩具
１１  本体
１２  本体下部
１４  取入口
１６  保持部材
２２  錘
２４  本体上部
２６  吐出口
２８  浮き部材
３２  入浴剤
３３  泡収容空間
３４  発泡剤
３６  界面活性剤層
３８  泡
【図１】
2006020794.tif 000003
【図２】
2006020794.tif 000004